(57)【要約】【課題】カード収納部とカードリーダ部とを有するカード発行機に適した筐体を備えるカード発行機を提供すること。【解決手段】カード発行機１の筐体５は、カード発行機１の前面や側面の一部を構成する第１ケース体２１と、発行前のカードが積層されて収納されるカード収納部１５の上方を覆う第２ケース体２２と、カードリーダ部３の上方を覆う第３ケース体２３とを備えている。第３ケース体２３は、第１ケース体２１から、上下両側、左右両側および前端側に第３ケース体２３が外れないように第１ケース体２１と係合するとともに、第１ケース体２１から後端側に第３ケース体２３が外れないように第２ケース体２２と係合している。閉状態にある筐体５が開かないように筐体５をロックするロック機構２４は、第１ケース体２１に対して第２ケース体２２が開かないように、第２ケース体２２をロックしている。【選択図】図１１
2010128781.tif 000002
【特許請求の範囲】
【請求項１】
内部に収納されたカードを発行するカード発行機において、
発行前の前記カードが積層されて収納されるカード収納部と、前記カードに記録された情報の再生および／または前記カードへの情報の記録を行うカードリーダ部と、前記カード収納部および前記カードリーダ部を収容する筐体と、閉状態にある前記筐体が開かないように前記筐体をロックするロック機構とを備え、
前記カード収納部と前記カードリーダ部とは、前記カードが排出されるカード排出口に向かって前記カード収納部から搬出される前記カードが前記カードリーダ部を通過するように配置され、
前記筐体は、前記カード排出口が形成される前記カード発行機の前面と前記カード発行機の側面の一部とを少なくとも構成する第１ケース体と、前記カード収納部の上方を覆う第２ケース体と、前記カードリーダ部の上方を覆う第３ケース体とを備え、
前記第３ケース体は、前記第１ケース体から、前記カード発行機の両側面側、前記カード発行機の前面側および上下両側に前記第３ケース体が外れないように前記第１ケース体と係合するとともに、前記第１ケース体から前記カード発行機の後面側に前記第３ケース体が外れないように前記第２ケース体と係合し、
前記ロック機構は、前記第１ケース体に対して前記第２ケース体が開かないように、前記第２ケース体をロックすることを特徴とするカード発行機。
【請求項２】
前記第１ケース体は、前記カード発行機の前面側における前記カードリーダ部の上方の一部を覆う上面カバー部を備え、
前記第１ケース体には、前記カード発行機の前後方向と上下方向とに直交する左右方向の内側から前記第３ケース体に当接可能な第１当接面が形成され、
前記上面カバー部には、前記第３ケース体に下側から当接可能な第２当接面と前記カード発行機の前面側から前記第３ケース体に当接可能な第３当接面とが形成され、
前記第３ケース体には、前記上面カバー部の下面に係合する係合突起が形成されていることを特徴とする請求項１記載のカード発行機。
【請求項３】
前記第３ケース体には、前記第２ケース体に下側から当接可能な第４当接面と前記カード発行機の前面側から前記第２ケース体に当接可能な第５当接面とが形成されていることを特徴とする請求項１または２記載のカード発行機。
【請求項４】
前記第１ケース体または前記第３ケース体のいずれか一方には、前記カード発行機の前面側に向かって前記第３ケース体をスライドさせるためのスライド溝が形成され、
前記第１ケース体または前記第３ケース体のいずれか他方には、前記スライド溝に係合するスライド突起が形成されていることを特徴とする請求項１から３いずれかに記載のカード発行機。
【請求項５】
前記第１ケース体に対する前記第２ケース体の開閉を行うためのヒンジを備え、
前記ヒンジは、前記カード発行機の後面側に配置されていることを特徴とする請求項１から４いずれかに記載のカード発行機。
【請求項６】
前記カードを回収するためのカード回収庫を前記カード収納部の下方に備え、
前記カード回収庫の側面には、回収された前記カードの取出口が形成され、
前記第２ケース体は、前記カード発行機の側面の一部を構成するとともに前記取出口を覆う側面カバー部を備えることを特徴とする請求項１から５いずれかに記載のカード発行機。
【請求項７】
前記カードを回収するためのカード回収庫を前記カード収納部の下方に備えるとともに、前記カードリーダ部の下方に配置される電源および／または制御用基板を備えることを特徴とする請求項１から６いずれかに記載のカード発行機。
【発明の詳細な説明】
【技術分野】
【０００１】
本発明は、内部に収納されたカードを発行するカード発行機に関する。
【背景技術】
【０００２】
従来、内部に収納されたカードを発行するカード発行機が知られている（たとえば、特許文献１参照）。この特許文献１に記載のカード発行機は、発行前のカードが積層されて収納されるカード収納部と、カードに記録された情報の再生やカードへの情報の記録を行うカードリーダ部とを備えている。
【０００３】
【特許文献１】特開２００８−１６５４８３号公報
【発明の開示】
【発明が解決しようとする課題】
【０００４】
特許文献１に記載のカード発行機は、一般的に、ディスプレイやレシートプリンタ等を備える上位装置に搭載されており、上位装置の筐体の中に収納されている。そのため、カード収納部とカードリーダ部とを有するカード発行機用の筐体はこれまでのところ提案されていない。
【０００５】
そこで、本発明の課題は、カード収納部とカードリーダ部とを有するカード発行機に適した筐体を備えるカード発行機を提供することにある。
【課題を解決するための手段】
【０００６】
上記の課題を解決するため、本発明は、内部に収納されたカードを発行するカード発行機において、発行前のカードが積層されて収納されるカード収納部と、カードに記録された情報の再生および／またはカードへの情報の記録を行うカードリーダ部と、カード収納部およびカードリーダ部を収容する筐体と、閉状態にある筐体が開かないように筐体をロックするロック機構とを備え、カード収納部とカードリーダ部とは、カードが排出されるカード排出口に向かってカード収納部から搬出されるカードがカードリーダ部を通過するように配置され、筐体は、カード排出口が形成されるカード発行機の前面とカード発行機の側面の一部とを少なくとも構成する第１ケース体と、カード収納部の上方を覆う第２ケース体と、カードリーダ部の上方を覆う第３ケース体とを備え、第３ケース体は、第１ケース体から、カード発行機の両側面側、カード発行機の前面側および上下両側に第３ケース体が外れないように第１ケース体と係合するとともに、第１ケース体からカード発行機の後面側に第３ケース体が外れないように第２ケース体と係合し、ロック機構は、第１ケース体に対して第２ケース体が開かないように、第２ケース体をロックすることを特徴とする。
【０００７】
本発明のカード発行機では、第３ケース体は、第１ケース体から、カード発行機の両側面側、カード発行機の前面側および上下両側に第３ケース体が外れないように第１ケース体と係合するとともに、第１ケース体からカード発行機の後面側に第３ケース体が外れないように第２ケース体と係合している。また、ロック機構は、第１ケース体に対して第２ケース体が開かないように、第２ケース体をロックしている。
【０００８】
そのため、ロック機構を解除して第２ケース体を開き、第３ケース体をカード発行機の後面側に移動させないと、第３ケース体を第１ケース体から取り外すことができない。すなわち、第１ケース体から第３ケース体が外れないように第３ケース体をロックするロック機構を別途設けなくても、第２ケース体を開かなければ、第３ケース体を第１ケース体から取り外すことができない。したがって、第３ケース体をロックするためのロック機構が不要となり、カード発行機の構成を簡素化することができる。
【０００９】
また、カード収納部では、カードの補充等を行う必要があるため、第２ケース体の開閉頻度は高いが、カードリーダ部でカード詰まり等の不具合が発生しない限り、第３ケース体を第１ケース体から取り外す必要はない。本発明では、ロック機構を解除すれば、第３ケース体を第１ケース体に取り付けた状態で、開閉頻度の高い第２ケース体のみを開閉することができる。したがって、本発明では、筐体の開閉作業が容易になる。
【００１０】
本発明において、第１ケース体は、カード発行機の前面側におけるカードリーダ部の上方の一部を覆う上面カバー部を備え、第１ケース体には、カード発行機の前後方向と上下方向とに直交する左右方向の内側から第３ケース体に当接可能な第１当接面が形成され、上面カバー部には、第３ケース体に下側から当接可能な第２当接面とカード発行機の前面側から第３ケース体に当接可能な第３当接面とが形成され、第３ケース体には、上面カバー部の下面に係合する係合突起が形成されていることが好ましい。このように構成すると、第１ケース体に形成される第１当接面、第２当接面および第３当接面と、第３ケース体に形成される係合突起とによって、第１ケース体から、カード発行機の両側面側、カード発行機の前面側および上下両側に第３ケース体が外れないように、第１ケース体と第３ケース体とを係合させることができる。
【００１１】
本発明において、第３ケース体には、第２ケース体に下側から当接可能な第４当接面とカード発行機の前面側から第２ケース体に当接可能な第５当接面とが形成されていることが好ましい。このように構成すると、第３ケース体に形成される第４当接面および第５当接面によって、第１ケース体から、カード発行機の後面側および上側に第３ケース体が外れないように第２ケース体と第３ケース体とを係合させることができる。
【００１２】
本発明において、第１ケース体または第３ケース体のいずれか一方には、カード発行機の前面側に向かって第３ケース体をスライドさせるためのスライド溝が形成され、第１ケース体または第３ケース体のいずれか他方には、スライド溝に係合するスライド突起が形成されていることが好ましい。このように構成すると、第１ケース体に対する第３ケース体の位置決めが容易になる。
【００１３】
本発明において、カード発行機は、第１ケース体に対する第２ケース体の開閉を行うためのヒンジを備え、ヒンジは、カード発行機の後面側に配置されていることが好ましい。このように構成すると、第１ケース体に対する第２ケース体の開閉動作を行いやすくなり、作業性が向上する。また、開閉動作のたびに第２ケース体がカード発行機から取り外される場合と比較して、第２ケース体の取り扱いが容易になる。さらに、カード補充やメンテナンス等のカード収納部での作業をカード発行機の前面側から行うことが可能になる。
【００１４】
本発明において、カード発行機は、カードを回収するためのカード回収庫をカード収納部の下方に備え、カード回収庫の側面には、回収されたカードの取出口が形成され、第２ケース体は、カード発行機の側面の一部を構成するとともに取出口を覆う側面カバー部を備えることが好ましい。このように構成すると、筐体に、カード回収庫用の開閉部を別途設けなくても、第２ケース体を開ければ、カード回収庫に回収されたカードを取り出すことができる。したがって、カード回収庫用の開閉部を筐体に設ける必要がなくなり、筐体の構成を簡素化することができる。
【００１５】
本発明において、カード発行機は、カードを回収するためのカード回収庫をカード収納部の下方に備えるとともに、カードリーダ部の下方に配置される電源および／または制御用基板を備えることが好ましい。このように構成すると、カードリーダ部の下方に形成される（すなわち、カード回収庫の側方に形成される）空間を利用して、電源や制御用基板を配置することができる。したがって、カード発行機を小型化することが可能になる。
【発明の効果】
【００１６】
以上のように、本発明では、第３ケース体をロックするためのロック機構が不要となり、カード発行機の構成を簡素化することができる。また、第３ケース体を第１ケース体に取り付けた状態で、開閉頻度の高い第２ケース体のみを開閉することができるため、筐体の開閉作業が容易になる。
【発明を実施するための最良の形態】
【００１７】
以下、本発明の実施の形態を図面に基づいて説明する。
【００１８】
（カード発行機の概略構成）
図１は、本発明の実施の形態にかかるカード発行機１の斜視図である。図２は、図１のカード発行機１から筐体５の一部を取り外した状態を示す斜視図である。図３は、図１のカード発行機１の内部の構成を示す側面図である。図４は、図１のカード発行機１の底面図である。
【００１９】
なお、以下の説明では、互いに直交する３方向のそれぞれをＸ方向、Ｙ方向およびＺ方向とするとともに、図１等のＸ１方向側を「右」側、Ｘ２方向側を「左」側、Ｙ１方向側を「前」側、Ｙ２方向側を「後（後ろ）」側、Ｚ１方向側を「上」側、Ｚ２方向側を「下」側とする。
【００２０】
本形態のカード発行機１は、内部に収納されたカード２を発行する機能を備えており、たとえば、ホテルのフロントやコンビニエンスストアのレジカウンタ等に設置されて使用される。また、本形態のカード発行機１は、不要、使用済みあるいはエラーとなったカード２（以下、「不要なカード２」とする。）を回収する機能も備えている。
【００２１】
このカード発行機１は、図１〜図３に示すように、カード２に記録された情報の再生および／またはカード２への情報の記録を行うカードリーダ部３と、収納されたカード２を発行するとともに不要なカード２を回収するカード発行回収部４と、カードリーダ部３およびカード発行回収部４を収容する筐体５とを備えている。
【００２２】
また、カード発行機１は、カードリーダ部３やカード発行回収部４等に電力を供給するための電源６と、カードリーダ部３やカード発行回収部４等を制御するための制御用基板７とを備えている。カード発行機１の後端側の底面には、図４に示すように、電源スイッチ８と、電源用端子９と、電子計算機（パーソナルコンピュータ）用端子１０とが配置されている。また、カード発行機１の底面の四隅には、ゴム足１１が取り付けられている。
【００２３】
カード２は、たとえば、ホテルのルームキーとして、あるいは、コンビニエンスストア等で利用されるプリペードカードとして使用される。このカード２は、たとえば、厚さが０．７〜０．８ｍｍ程度の矩形状の塩化ビニール製のカードである。カード２の表面には、たとえば、磁気情報が記録される磁気ストライプが形成されている。また、たとえば、カード２の表面には、ＩＣチップが固定されている。なお、カード２には、通信用のアンテナが内蔵されても良い。また、カード２の表面には、感熱方式によって印字が行われる印字部が形成されても良い。また、カード２は、厚さが０．１８〜０．３６ｍｍ程度のＰＥＴ（ポリエチレンテレフタレート）カードであっても良いし、所定の厚さの紙カード等であっても良い。
【００２４】
カードリーダ部３は、図３に示すように、カード２を挿入、排出するための挿入排出部１４を備えている。また、カードリーダ部３は、カードリーダ部３内でカード２を搬送するためのカード搬送機構と、磁気ヘッド、ＩＣ接点および／または通信用アンテナ等の情報の記録や再生を行うための記録再生手段とを備えている。
【００２５】
カード発行回収部４は、発行前の複数のカード２が積層されて収納されるカード収納部１５と、不要なカード２を回収するためのカード回収庫１６とを備えている。図３に示すように、カード収納部１５とカード回収庫１６とは、上下方向で重なるように配置されている。また、カード発行回収部４は、カード収納部１５とカード回収庫１６との間に、カード収納部１５に収納された複数のカード２の中で一番下に収納されているカード２をカードリーダ部３に向かって送り出すカード送出機構（図示省略）を備えている。
【００２６】
カード収納部１５は、上面が開口する直方体の箱状に形成されている。また、図２に示すように、カード収納部１５の右側面の前側および前側面の右側は切り欠かれている。カード送出機構は、カード収納部１５に収納されたカード２に係合してカード収納部１５からカード２を１枚ずつ送り出す送出爪、この送出爪が固定されるチェーンおよびこのチェーンの駆動機構等を備えている。
【００２７】
カード回収庫１６は、上面が開口する直方体の箱状に形成されている。このカード回収庫１６の右側面には、カード回収庫１６内に回収されたカード２を取り出すための取出口１６ａが形成されている。取出口１６ａの後端側は、カバー１７で覆われている。カバー１７は、下端側に配置される軸１８に回動可能に支持されるとともに、バネ（図示省略）によって、カード回収庫１６の右側面に向かって付勢されている。また、カード回収庫１６の上端側には、不要なカード２をカード回収庫１６へ案内するためのガイド部材（図示省略）が配置されている。
【００２８】
図３に示すように、本形態では、カードリーダ部３およびカード発行回収部４が、カード発行機１の前端側からこの順番で互いに接するように配置されている。具体的には、カードリーダ部３は、カード収納部１５の前方に配置されている。すなわち、カードリーダ部３は、カード２が排出される後述のカード排出口２１ｆに向かってカード収納部１５から搬出されるカード２が通過するように配置されている。また、カードリーダ部３は、上下方向では、カード回収庫１６よりも上側に配置されている。さらに、カード収納部１５の上端側は、カードリーダ部３の上面よりも上側に突出している。
【００２９】
カードリーダ部３の下方、かつ、カード回収庫１６の前方には、電源６と制御用基板７とが配置されている。具体的には、電源６がカード発行機１の底面側に配置され、制御用基板７が電源６の上方に配置されている。
【００３０】
本形態では、カード２の発行時には、まず、カード送出機構がカード収納部１５に収納されたカード２をカードリーダ部３に向かって送り出す。カード収納部１５から送り出されたカード２を受け取ったカードリーダ部３では、たとえば、カード２に所定の情報が記録される。また、情報が記録されたカード２は、カード発行機１から排出される（発行される）。
【００３１】
また、たとえば、カード発行機１に挿入されて、カードリーダ部３で情報の再生が行われた結果、回収が必要であると判断されたカード２は、カードリーダ部３からカード発行回収部４に向かって排出される。カードリーダ部３から排出されるカード２は、ガイド部材によってカード回収庫１６へ案内されて回収される。なお、カード回収庫１６は、カードリーダ部３よりも下側に配置されているため、カードリーダ部３から排出されるカード２は、自重でカード回収庫１６の中に落下する。
【００３２】
（筐体の構成）
図５は、図１に示す筐体５を開いた状態を示す側面図である。図６は、図５に示す第１ケース体２１の前端側を示す拡大斜視図である。図７は、図６のＥ部の拡大図である。図８は、図６のＦ部の拡大図である。図９は、図５に示す第３ケース体２３を示す図であり、（Ａ）は平面図、（Ｂ）は側面図、（Ｃ）は第３ケース体２３に形成されたスライド突起２３ｊの側面図、（Ｄ）は（Ｃ）のＧ−Ｇ方向からスライド突起２３ｊを示す図である。図１０は、図５に示す第２ケース体２２の一部を示す拡大斜視図である。図１１は、図５に示す第１ケース体２１から第３ケース体２３を取り外すときの第３ケース体２３の動きを説明するための図である。
【００３３】
筐体５は、樹脂で形成されており、図５に示すように、カード発行機１の左右両側面の一部、前面および後面を構成する第１ケース体２１と、カード収納部１５の上方を覆う第２ケース体２２と、カードリーダ部３の上方を覆う第３ケース体２３とを備えている。上述のように、カード収納部１５の上端側は、カードリーダ部３の上面よりも上側に突出している。そのため、図１に示すように、第２ケース体２２の上端側は、第３ケース体２３の上面よりも上側に突出している。
【００３４】
本形態では、第２ケース体２２は、カード発行機１の後面側に配置されるヒンジ（図示省略）によって、第１ケース体２１に対して開閉可能となっている。一方、第３ケース体２３は、第１ケース体２１から取外し可能となっている。また、本形態の筐体５は、閉状態にある筐体５が開かないように、ロック機構２４（図２参照）によってロック可能となっている。
【００３５】
第１ケース体２１は、カード発行機１の前面を構成する前面部２１ａと、カード発行機１の後面を構成する後面部２１ｂと、カード発行機１の右側面の下側を構成する右側面部２１ｃと、カード発行機１の左側面の下側を構成する左側面部２１ｄとを備えている。この第１ケース体２１は、カードリーダ部３およびカード発行回収部４等に固定されている。また、第１ケース体２１は、カードリーダ部３の前端側（具体的には、挿入排出部１４）の上方を覆う上面カバー部２１ｅを備えている。また、前面部２１ａには、カード２が排出されるカード排出口２１ｆが形成されている。
【００３６】
右側面部２１ｃの後端側には、右側面部２１ｃの上端から略半円弧状に窪む切欠き部２１ｇが形成されている。切欠き部２１ｇは、カード回収庫１６内に回収されたカード２を取出口１６ａから右方向に向かって取り出すことができるように、取出口１６ａの右方に形成されている。また、右側面部２１ｃには、ロック機構２４を構成する後述のシリンダ２９が配置される配置孔２１ｈが形成されている。
【００３７】
右側面部２１ｃの上端には、左右方向の内側（すなわち、左側）から第３ケース体２３に当接可能な第１当接面としての当接面２１ｓと、第３ケース体２３に下側から当接可能な当接面２１ｔとが形成されている。具体的には、右側面部２１ｃの上端には、左方向へ一段下がった段差部に形成されており、この段差部の右方向を向く面が当接面２１ｓとなり、上方向を向く面が当接面２１ｔとなっている。
【００３８】
また、右側面部２１ｃの前端側の上端には、第３ケース体２３を前側に向かってスライドさせるためのスライド溝２１ｊが前後方向に所定の間隔をあけた状態で２箇所に形成されている。具体的には、切欠き部２１ｇの前端側の縁部の近傍と、右側面部２１ｃと上面カバー部２１ｅと境界部分の近傍との２箇所に、スライド溝２１ｊが当接面２１ｓから窪むように形成されている。図７に示すように、スライド溝２１ｊの後端側の上端は開口しており、この開口を利用して、第３ケース体２３に形成される後述のスライド突起２３ｊがスライド溝２１ｊに嵌め込まれ、また、スライド突起２３ｊがスライド溝２１ｊから外される。
【００３９】
同様に、左側面部２１ｄの上端にも、左右方向の内側（すなわち、右側）から第３ケース体２３に当接可能な第１当接面としての当接面（図示省略）と、第３ケース体２３に下側から当接可能な当接面（図示省略）とが形成されている。また、左側面部２１ｄの前端側の上端には、第３ケース体２３を前側に向かってスライドさせるためのスライド溝（図示省略）が前後方向に所定の間隔をあけた状態で２箇所に形成されている。なお、図５に示すように、左側面部２１ｄには、切欠き部２１ｇに相当する切欠き部は形成されていない。
【００４０】
上面カバー部２１ｅは、上側に向かって膨らむ曲面状に形成されている。また、上面カバー部２１ｅは、前面部２１ａの上端と、右側面部２１ｃおよび左側面部２１ｄの前端側の上端とに繋がるように形成されている。上面カバー部２１ｅの後端には、図５に示すように、第３ケース体２３に下側から当接可能な第２当接面としての当接面２１ｋと、第３ケース体２３に前側から当接可能な第３当接面としての当接面２１ｍとが形成されている。具体的には、上面カバー部２１ｅの後端には、下方向へ一段下がった段差部に形成されており、この段差部の上方向を向く面が当接面２１ｋとなり、後ろ方向を向く面が当接面２１ｍとなっている。
【００４１】
当接面２１ｋの頂点部分には、切欠き部２１ｎが形成されている。また、上面カバー部２１ｅの下面には、図８に示すように、第３ケース体２３に形成される後述の係合突起２３ｄの先端が係合する係合凹部２１ｐが切欠き部２１ｎの形成位置に対応するように形成されている。
【００４２】
前面部２１ａと上面カバー部２１ｅとの境界部分には、図６等に示すように、発光部２１ｑが形成されている。この発光部２１ｑの内側には、ＬＥＤ（Ｌｉｇｈｔ  Ｅｍｉｔｔｉｎｇ  Ｄｉｏｄｅ）等の発光手段が配置されている。
【００４３】
第３ケース体２３は、図９に示すように、上側に向かって膨らむ曲面状に形成された上面部２３ａと、カード発行機１の右側面の上端側の一部を構成する右側面部２３ｂと、カード発行機１の左側面の上端側の一部を構成する左側面部２３ｃとを備えている。この第３ケース体２３は、第１ケース体２１に着脱可能に取り付けられている。
【００４４】
上面部２３ａの前端面２３ｍは、第１ケース体２１の当接面２１ｍに当接可能となっている。また、上面部２３ａの前端側の下面は、第１ケース体２１の当接面２１ｋに当接可能となっている。上面部２３ａの前端には、前側に向かって突出する係合突起２３ｄが形成されている。この係合突起２３ｄは、第１ケース体２１の切欠き部２１ｎに対応する位置に形成されており、係合突起２３ｄの先端は、第１ケース体２１の係合凹部２１ｐに係合している。すなわち、係合突起２３ｄは、上面カバー部２１ｅの下面に係合している。
【００４５】
上面部２３ａの後端には、第２ケース体２２に下側から当接可能な第４当接面としての当接面２３ｅと、第２ケース体２２に前側から当接可能な第５当接面としての当接面２３ｆとが形成されている。具体的には、上面部２３ａの後端には、下方向へ一段下がった段差部に形成されており、この段差部の上方向を向く面が当接面２３ｅとなり、後ろ方向を向く面が当接面２３ｆとなっている。
【００４６】
なお、右側面部２３ｂにも、第２ケース体２２に前側から当接可能な第４当接面としての当接面２３ｇが形成されている（図９（Ａ）、（Ｂ）参照）。具体的には、右側面部２３ｂの後端には、左方向へ一段下がった段差部に形成されており、この段差部の後ろ方向を向く面が当接面２３ｇとなっている。また、右側面部２３ｃにも同様に、第２ケース体２２に前側から当接可能な第４当接面としての当接面２３ｈが形成されている（図９（Ａ）参照）。
【００４７】
左右方向における右側面部２３ｂの内側面（すなわち、左側面）の下端側は、第１ケース体２１の右側面部２１ｃに形成された当接面２１ｓに当接可能となっている。また、右側面部２３ｂの下端は、第１ケース体２１の右側面部２１ｃに形成された当接面２１ｔに当接可能となっている。同様に、左右方向における左側面部２３ｃの内側面（すなわち、右側面）の下端側および右側面部２３ｂの下端は、第１ケース体２１の左側面部２１ｄに形成された当接面に当接可能となっている。
【００４８】
また、左右方向における右側面部２３ｂおよび左側面部２３ｃの内側面の下端側には、第１ケース体２１のスライド溝２１ｊに係合するスライド突起２３ｊが形成されている（図９（Ｃ）、（Ｄ）参照）。本形態では、２箇所に形成されたスライド溝２１ｊに対応するように、前後方向に所定の間隔をあけた状態で、２個のスライド突起２３ｊが右側面部２３ｂおよび左側面部２３ｃに形成されている。
【００４９】
第２ケース体２２は、図５、図１０に示すように、球面の一部とほぼ同様の曲面状に形成される上面部２２ａと、カード発行機１の右側面の上端側の一部を構成する右側面部２２ｂと、カード発行機１の左側面の上端側の一部を構成する左側面部２２ｃとを備えている。この第２ケース体２２は、上述のように、カード発行機１の後面側に配置されるヒンジによって、第１ケース体２１に対して開閉可能となっている。ヒンジは、たとえば、カード発行回収部４の後面側に固定される支点シャフトを備えており、第２ケース体２２は、この支点シャフトに回動可能に支持されている。
【００５０】
上面部２２ａの一端面（図５の上側に配置される端面）２２ｄは、第３ケース体２３の当接面２３ｆ〜２３ｈに当接可能となっている。また、上面部２２ａの一端側の内側面は、第３ケース体２３の当接面２３ｅに当接可能となっている。
【００５１】
右側面部２２ｂは、図５に示すように、略円形状に形成されている。具体的には、図１に示すように、第２ケース体２２が閉じた状態で、第１ケース体２１の右側面部２１ｃに形成された切欠き部２１ｇの全域に右側面部２２ｂの下端側が配置されるように、右側面部２２ｂは略円形状に形成されている。すなわち、第２ケース体２２が閉じた状態で、カード回収庫１６の取出口１６ａを覆うように右側面部２２ｂが形成されている。本形態の右側面部２２ｂは、カード発行機１の側面の一部を構成するとともに取出口１６ａを覆う側面カバー部である。
【００５２】
なお、左側面部２２ｃは、略半円形状に形成されており、第２ケース体２２が閉じた状態における左側面部２２ｃの下端は、第１ケース体２１の左側面部２１ｄの後端側の上端に当接している。
【００５３】
ロック機構２４は、図２に示すように、カードリーダ部３の後端側の上面に取り付けられるロック用シャフト２７と、ロック用シャフト２７に係合するロック部２８と、図示を省略する鍵が差し込まれるシリンダ２９とを備えている。ロック部２８は、図１０に示すように、第２ケース体２２の一端側に取り付けられている。また、シリンダ２９は、カードリーダ部３の右側面に取り付けられ、その一部は、第１ケース体２１の配置孔２１ｈの中に配置されている。
【００５４】
本形態では、ロック用シャフト２７とロック部２８とが係合している状態が筐体５の閉状態である。また、筐体５が閉状態であって、かつ、シリンダ２９から鍵が取り外された状態が、図１に示すように、閉状態にある筐体５が開かないようにロックされたロック状態となる。
【００５５】
このロック状態で、シリンダ２９に鍵を差し込むと、筐体５を開けることが可能な状態となる。すなわち、シリンダ２９に鍵を差し込んで一方向へ回転させると、ロック用シャフト２７とロック部２８との係合が外れるため、ヒンジを中心にして第２ケース体２２を回動させることが可能になる。また、ロック用シャフト２７とロック部２８との係合が外れた状態で、ヒンジを中心にして第２ケース体２２を回動させて、ロック用シャフト２７とロック部２８とを係合させると、上述のように、筐体５は閉状態となる。この状態で、鍵を他方向へ回転させてシリンダ２９から鍵を抜き取ると、筐体５はロック状態となる。
【００５６】
このように、ロック機構２４は、ヒンジを中心にして第２ケース体２２が回動しないように、第２ケース体２２をロックしている。すなわち、ロック機構２４は、第１ケース体２１に対して第２ケース体２２が開かないように、第２ケース体２２をロックしている。
【００５７】
上述のように、第３ケース体２３の前端面２３ｍは、第１ケース体２１の当接面２１ｍに当接可能となっており、かつ、第３ケース体２３の上面部２３ａの前端側の下面は、第１ケース体２１の当接面２１ｋに当接可能となっている。また、左右方向における右側面部２３ｂの内側面および左側面部２３ｃの内周面は、第１ケース体２１の当接面２１ｓ等に当接可能となっており、かつ、右側面部２３ｂの下端および左側面部２３ｃの下端は、第１ケース体２１の当接面２１ｔ等に当接可能となっている。さらに、第３ケース体２３の係合突起２３ｄは、第１ケース体２１の上面カバー部２１ｅの下面に係合している。また、第３ケース体２３のスライド突起２３ｊは、第１ケース体２１のスライド溝２１ｊに係合している。すなわち、本形態では、第３ケース体２３は、第１ケース体２１から、左右両側、上下両側および前側に第３ケース体２３が外れないように第１ケース体２１と係合している。
【００５８】
また、筐体５が閉状態であるときには、第２ケース体２２の一端面２２ｄは、第３ケース体２３の当接面２３ｆ〜２３ｈに当接可能となっており、かつ、第２ケース体２２の上面部２２ａの一端側の内側面は、第３ケース体２３の当接面２３ｅに当接可能となっている。すなわち、本形態では、筐体５が閉状態であるときには、第３ケース体２３は、第１ケース体２１から第３ケース体２３が後ろ側に外れないように第２ケース体２２と係合している。
【００５９】
このように、本形態では、筐体５が閉状態であるときには、第３ケース体２３は、第１ケース体２１から、左右両側、上下両側および前側に第３ケース体２３が外れないように第１ケース体２１と係合しているとともに、第１ケース体２１から第３ケース体２３が後ろ側に外れないように第２ケース体２２と係合している。そのため、筐体５が閉状態にあるときには、第１ケース体２１から第３ケース体２３を取り外すことができない。したがって、本形態では、第１ケース体２１から第３ケース体２３を取り外す場合には、ロック機構２４による筐体５のロック状態を解除してから、第３ケース体２３を取り外す。
【００６０】
具体的には、まず、シリンダ２９に鍵を差し込んで一方向へ回転させて、ロック機構２４による筐体５のロック状態を解除してから、図１１（Ａ）に示すように、ヒンジを中心にして、第２ケース体２２を後ろ側に回動させる。その後、図１１（Ｂ）に示すように、第３ケース体２３を後ろ側にスライドさせる。具体的には、スライド突起２３ｊの後端がスライド溝２１ｊの後端に当接するまで、第３ケース体２３を後ろ側へスライドさせる。このとき、第３ケース体２３の係合突起２３ｄは、上面カバー部２１ｅの下面から外れる。
【００６１】
その後、図１１（Ｃ）に示すように、第３ケース体２３を上方へ移動させて、第１ケース体２１から第３ケース体２３を取り外す。このとき、スライド突起２３ｊは、スライド溝２１ｊの後端側の上端に形成された開口を通過する。
【００６２】
なお、第１ケース体２１に第３ケース体２３を取り付ける場合には、スライド突起２３ｊが、スライド溝２１ｊの上端の開口を通過するように、第３ケース体２３を下降させた後に、係合突起２３ｄが上面カバー部２１ｅの下面に係合するまで、第３ケース体２３を前側へ移動させる。
【００６３】
（本形態の主な効果）
以上説明したように、本形態では、筐体５が閉状態であるときには、第３ケース体２３は、第１ケース体２１から、左右両側、上下両側および前側に第３ケース体２３が外れないように第１ケース体２１と係合するとともに、第１ケース体２１から第３ケース体２３が後ろ側に外れないように第２ケース体２２と係合している。また、ロック機構２４は、第１ケース体２１に対して第２ケース体２２が開かないように、第２ケース体２２をロックしている。そのため、ロック機構２４を解除して第２ケース体２２を上側に持ち上げないと第３ケース体２３を第１ケース体２１から取り外すことができない。すなわち、第１ケース体２１から第３ケース体２３が外れないように第３ケース体２３をロックするロック機構を別途設けなくても、第２ケース体２２を持ち上げなければ、第３ケース体２３を第１ケース体２１から取り外すことができない。したがって、本形態では、第３ケース体２３をロックするためのロック機構が不要となり、カード発行機１の構成を簡素化することができる。
【００６４】
また、カード収納部１５では、カード２の補充等を行う必要があるため、第２ケース体２２の開閉頻度は高いが、カードリーダ部３でカード詰まり等の不具合が発生しない限り、第３ケース体２３を第１ケース体２１から取り外す必要はなく、第１ケース体２１の取り外しの頻度は低い。本形態では、ロック機構２４を解除すれば、第３ケース体２３を第１ケース体２１に取り付けた状態で、開閉頻度の高い第２ケース体２２のみを開閉することができる。したがって、本形態では、筐体５の開閉作業が容易になる。
【００６５】
本形態では、第１ケース体２１に、第３ケース体２３を前側に向かってスライドさせるためのスライド溝２１ｊが形成され、第３ケース体２３に、スライド溝２１ｊに係合するスライド突起２３ｊが形成されている。そのため、第１ケース体２１に対する第３ケース体２３の位置決めが容易になる。
【００６６】
本形態では、第２ケース体２２の開閉を行うためのヒンジがカード発行機１の後面側に配置されている。そのため、第２ケース体２２の開閉動作を行いやすくなり、作業性が向上する。また、第２ケース体２２の開閉を行うたびに、第２ケース体２２がカード発行機１から取り外される場合と比較して、第２ケース体２２の取り扱いが容易になる。さらに、カード２の補充やメンテナンス等のカード収納部１５での作業をカード発行機１の前側から行うことができる。ユーザはカード発行機１の前側からカード２を挿入するため、カード発行機１の前側には、必ず所定のスペースがある。したがって、カード収納部１５での作業をカード発行機１の前側から行うことができると、カード収納部１５での作業がやりやすくなる。
【００６７】
本形態では、カード回収庫１６の側面に形成された取出口１６ａは、第２ケース体２２の右側面部２２ｂによって覆われている。そのため、筐体５に、カード回収庫１６用の開閉部を別途設けなくても、第２ケース体２２を開ければ、カード回収庫１６に回収されたカード２を取り出すことができる。したがって、筐体５に、カード回収庫１６用の開閉部を設ける必要がなくなり、筐体５の構成を簡素化することができる。
【００６８】
本形態では、カードリーダ部３の下方に電源６および制御用基板７が配置されている。そのため、カード回収庫１６の前方となるカードリーダ部３の下方に形成されるデッドスペースを利用して、電源６や制御用基板７を配置することができる。したがって、カード発行機１を小型化することが可能になる。
【００６９】
（他の実施の形態）
上述した形態は、本発明の好適な形態の一例ではあるが、これに限定されるものではなく本発明の要旨を変更しない範囲において種々変形実施が可能である。
【００７０】
上述した形態では、第１ケース体２１にスライド溝２１ｊが形成され、第３ケース体２３にスライド突起２３ｊが形成されている。この他にもたとえば、第１ケース体２１にスライド突起２３ｊに相当するスライド突起が形成され、第３ケース体２３のスライド溝２１ｊに相当するスライド溝が形成されても良い。また、スライド溝２１ｊおよびスライド突起２３ｊは形成されていなくても良い。
【００７１】
上述した形態では、第２ケース体２２の開閉を行うためのヒンジがカード発行機１の後面側に配置されている。この他にもたとえば、第２ケース体２２の前端側に第２ケース体２２の開閉を行うためのヒンジが配置されても良い。また、第２ケース体２２は、第３ケース体２３と同様に取り外し可能であっても良い。すなわち、第２ケース体２２は、ヒンジに取り付けられずに、上側に持ち上げて取り外せるように構成されても良い。
【図面の簡単な説明】
【００７２】
【図１】本発明の実施の形態にかかるカード発行機の斜視図である。
【図２】図１のカード発行機から筐体の一部を取り外した状態を示す斜視図である。
【図３】図１のカード発行機の内部の構成を示す側面図である。
【図４】図１のカード発行機の底面図である。
【図５】図１に示す筐体を開いた状態を示す側面図である。
【図６】図５に示す第１ケース体の前端側を示す拡大斜視図である。
【図７】図６のＥ部の拡大図である。
【図８】図６のＦ部の拡大図である。
【図９】図５に示す第３ケース体を示す図であり、（Ａ）は平面図、（Ｂ）は側面図、（Ｃ）は第３ケース体に形成されたスライド突起の側面図、（Ｄ）は（Ｃ）のＧ−Ｇ方向からスライド突起を示す図である。
【図１０】図５に示す第２ケース体の一部を示す拡大斜視図である。
【図１１】図５に示す第１ケース体から第３ケース体を取り外すときの第３ケース体の動きを説明するための図である。
【符号の説明】
【００７３】
１  カード発行機
２  カード
３  カードリーダ部
５  筐体
６  電源
７  制御用基板
１５  カード収納部
１６  カード回収庫
１６ａ  取出口
２１  第１ケース体
２１ｅ  上面カバー部
２１ｆ  カード排出口
２１ｊ  スライド溝
２１ｋ  当接面（第２当接面）
２１ｍ  当接面（第３当接面）
２１ｓ  当接面（第１当接面）
２２  第２ケース体
２２ｂ  右側面部（側面カバー部）
２３  第３ケース体
２３ｄ  係合突起
２３ｅ  当接面（第４当接面）
２３ｆ〜２３ｈ  当接面（第５当接面）
２３ｊ  スライド突起
２４  ロック機構
Ｘ  左右方向
Ｙ  前後方向
Ｚ  上下方向
【図１】
2010128781.tif 000003
【図２】
2010128781.tif 000004
【図３】
2010128781.tif 000005
【図４】
2010128781.tif 000006
【図５】
2010128781.tif 000007
【図６】
2010128781.tif 000008
【図７】
2010128781.tif 000009
【図８】
2010128781.tif 000010
【図９】
2010128781.tif 000011
【図１０】
2010128781.tif 000012
【図１１】
2010128781.tif 000013